(57)【要約】【課題】USB電源延長線の提供。【解決手段】本考案のUSB電源延長線は、ハウジング、導電片、スイッチ、挿入孔座、電源供給ユニット、及び、USBスロット、からなる。ハウジングは上下ハウジングからなり、挿入孔座、導電片、USBスロット、及び、電源供給ユニットを容置し、上ハウジング一端はスイッチを嵌設する。導電片は唇片部を有し、唇片部は挿入孔座の挿入孔に対応し、また、導電片は二片あり、一つは火線導電片で、もう一つは地線導電片である。USBスロットは電源供給ユニットに連接し、電源供給ユニットにより直流電源をUSBスロット上に提供し、携帯電話、MP３プレーヤー等、USB界面を有する電子製品に電源供給、或いは、充電する。【選択図】図２
0003138823.tif 000002
【実用新案登録請求の範囲】
【請求項１】
USB電源延長線であって、ハウジング、導電片、スイッチ、挿入孔座、電源供給ユニット、及び、USBスロット、からなり、その特徴は、
前記ハウジングは上下ハウジングからなり、前記挿入孔座、前記導電片、前記USBスロット、及び、前記電源供給ユニットを容置し、前記上ハウジング一端は前記スイッチを嵌設し、
前記導電片は唇片部を有し、前記唇片部は挿入孔座の挿入孔に対応し、また、前記導電片は二片あり、一つは火線導電片で、もう一つは地線導電片で、
前記USBスロットは前記電源供給ユニットに連接し、前記電源供給ユニットにより直流電源をUSBスロット上に提供することを特徴とするUSB電源延長線。
【請求項２】
前記スイッチは三個の接点を有し、その接点は位置の違いにより第一接点、第二接点、第三接点に分けられ、前記第一接点は前記電源線の火線端に連接され、前記第二接点は前記電源供給ユニットの一端、及び、前記火線導電片の一端に連接され、前記第三接点は前記電源線の地線端、前記電源供給ユニットのもう一端、及び、前記地線導電片の一端に連接され、よって、前記スイッチにより電源を切り換えることができることを特徴とする請求項１に記載のUSB電源延長線。
【請求項３】
前記USBスロットは、前記電源供給ユニットにより交流電源を直流電源に転換し、直流電源を前記USBスロット上に供給し、前記USBスロットはUSB界面を有する電子製品に電源供給、或いは、充電することを特徴とする請求項１に記載のUSB電源延長線。
【考案の詳細な説明】
【技術分野】
【０００１】
本考案はUSB電源延長線に関するものであって、特に、USB界面を有する電子製品に電源を供給する、或いは、充電するUSB電源延長線に関するものである。
【背景技術】
【０００２】
一般の延長線は、複数の挿入孔を有し、複数の電子製品のコンセントを同一の延長線に挿入して使用できる。図１は公知の延長線の立体図である。主に、一般の電子製品に必要な交流電源を供給する。今日は、科学技術が発展し、電子製品を多く使用しており、コンピュータにおいては、挿入すれば使用できるUSB界面を提供し、使用を便利にしている。
【０００３】
例えば、MP3プレーヤー、或いは、その他の電子製品は、内部にUSB界面を有しUSB界面により、コンピュータと連結し、データのアクセスが便利であり、また、MP３プレーヤーやその他の電子製品の電源供給、或いは、充電使用ができる。しかし、単純な充電、或いは、電源の供給の場合、コンピュータの電源をオンにしないと、USB界面の電子製品に対し電源供給、或いは、充電ができない。
【考案の開示】
【考案が解決しようとする課題】
【０００４】
本考案の目的は、上述の問題を改善するUSB電源延長線を提供することにある。
【課題を解決するための手段】
【０００５】
本考案のUSB電源延長線は、ハウジング、導電片、スイッチ、挿入孔座、電源供給ユニット、及び、USBスロット、からなる。ハウジングは上下ハウジングからなり、挿入孔座、導電片、USBスロット、及び、電源供給ユニットを容置し、上ハウジング一端はスイッチを嵌設する。導電片は唇片部を有し、唇片部は挿入孔座の挿入孔に対応し、また、導電片は二片あり、一つは火線導電片で、もう一つは地線導電片である。USBスロットは電源供給ユニットに連接し、電源供給ユニットにより直流電源をUSBスロット上に提供する。
【０００６】
USBスロットは、電源供給ユニットにより、交流電源を直流電源に転換し、直流電源をUSBスロット上に供給し、USBスロットはUSB界面を有する電子製品に電源供給、或いは、充電する。
【考案の効果】
【０００７】
本考案は、電源供給ユニットにより交流電源を直流電源に転換し、直流電源をUSBスロット上に供給し、USBスロットはUSB界面を有する電子製品に電源供給、或いは、充電することができる。
【考案を実施するための最良の形態】
【０００８】
図２は本考案の構造分解図である。本考案のUSB電源延長線は、ハウジング１０、導電片２０、スイッチ３０、挿入孔座４０、電源供給ユニット５０、及び、USBスロット６０、からなる。
【０００９】
ハウジング１０は上下ハウジング１１、１２からなり、挿入孔座４０、導電片２０、USBスロット６０、及び、電源供給ユニット５０を容置し、上ハウジング１１一端はスイッチ３０を嵌設する。導電片２０は唇片部２０１を有し、唇片部２０１は挿入孔座４０の挿入孔４１に対応し、また、導電片２０は二片あり、一つは火線導電片２１で、もう一つは地線導電片２２である。USBスロット６０は電源供給ユニット５０に連接し、電源供給ユニット５０により直流電源をUSBスロット６０上に提供する。
【００１０】
図３は本考案の組み合わせ立体図である。本考案は組み合わせ後、薄型の外観をなし、側辺に挿入孔座４０を有し、挿入孔座４０の相隣箇所にUSBスロット６０を設置すると共に、上ハウジング１１平面の一端はスイッチ３０を有し、電源を切り換える。
【００１１】
図４は本考案の内部素子の連接を示す図である。スイッチ３０上に三個の接点を有し、その接点は位置の違いにより第一接点３１、第二接点３２、第三接点３３に分けられる。第一接点３１は電源線の火線端に連接され、第二接点３２は電源供給ユニット５０の一端、及び、火線導電片２１の一端に連接され、第三接点３３は電源線の地線端、電源供給ユニット５０のもう一端、及び、地線導電片２２の一端に連接される。よって、スイッチ３０により電源を切り換えることができる。
【００１２】
図５は本考案の応用実施例図である。本考案のUSB電源延長線のスイッチがオンになり、ハウジング１０内の電源供給ユニット５０、及び、導電片２０が電気的に接続する。USBスロット６０は電源供給ユニット５０により交流電源を直流電源に転換し、直流電源をUSBスロット６０上に供給し、USBスロット６０はUSB界面を有する電子製品に電源供給、或いは、充電する。
図で示されるように、携帯電話６１、及び、MP３プレーヤー６２は直接、USBスロット６０上に連接され、電源供給、或いは、充電使用できる。
【図面の簡単な説明】
【００１３】
【図１】公知の延長線の立体図である。
【図２】本考案の構造分解図である。
【図３】本考案の組み合わせ立体図である。
【図４】本考案の内部素子連接図である。
【図５】本考案の応用実施例図である。
【符号の説明】
【００１４】
１０  ハウジング
１１  上ハウジング
１２  下ハウジング
２０  導電片
２０１  唇片部
２１  火線導電片
２２  地線導電片
３０  スイッチ
３１  第一接点
３２  第二接点
３３  第三接点
４０  挿入孔座
４１  挿入孔
５０  電源供給ユニット
６０  USBスロット
６１  携帯電話
６２  MP３プレーヤー        
【図１】
0003138823.tif 000003
【図２】
0003138823.tif 000004
【図３】
0003138823.tif 000005
【図４】
0003138823.tif 000006
【図５】
0003138823.tif 000007
【手続補正書】
【提出日】平成19年10月17日(2007.10.17)
【手続補正１】
【補正対象書類名】図面
【補正対象項目名】図２
【補正方法】変更
【補正の内容】
【図２】
0003138823.tif 000008
【手続補正２】
【補正対象書類名】図面
【補正対象項目名】図３
【補正方法】変更
【補正の内容】
【図３】
0003138823.tif 000009
【手続補正３】
【補正対象書類名】図面
【補正対象項目名】図５
【補正方法】変更
【補正の内容】
【図５】
0003138823.tif 000010